(57)【要約】【課題】誤放電を防止し，高速アドレシングを実現できるプラズマディスプレイパネルとその駆動方法を提供する。【解決手段】リセット区間において，リセット区間に，第１電圧から第２電圧まで下降する波形を走査電極Ｙに印加し，リセット区間の一部区間に，維持電極Ｘの電圧を第３電圧から第４電圧まで下降させる駆動回路を備えたプラズマディスプレイを設けた。【選択図】    図５
2005122102.tif 000002
【特許請求の範囲】
【請求項１】
第１電極及び第２電極と，前記第１電極と及び前記第２電極との間に形成されるパネルキャパシタとを含むプラズマディスプレイパネルの駆動方法において，
リセット区間において：
ａ）第１区間に，前記第１電極に，第１電圧から第２電圧まで下降する電圧を印加する段階と；
ｂ）前記第１区間の一部区間に，前記第２電極の電圧を第３電圧から第４電圧まで下降させる段階と；
を含むことを特徴とするプラズマディスプレイパネルの駆動方法。
【請求項２】
前記ｂ）段階は，前記第２電極の電圧をフロートさせることで，前記第２電極の電圧が前記第３電圧から前記第４電圧まで下降させるようにすることを特徴とする請求項１に記載のプラズマディスプレイパネルの駆動方法。
【請求項３】
前記ｂ）段階は，前記第２電極に，前記第３電圧から前記第４電圧まで下降する電圧を印加することを特徴とする請求項１に記載のプラズマディスプレイパネルの駆動方法。
【請求項４】
前記第２電極に印加される，前記第３電圧から前記第４電圧まで下降する電圧波形の傾きの絶対値は，前記第１電極に印加される，前記第１電圧から前記第２電圧まで下降する電圧波形の傾きの絶対値より大きいか又は略同一なことを特徴とする請求項１，２または３のいずれか１項に記載のプラズマディスプレイパネルの駆動方法。
【請求項５】
前記第２電圧は，アドレス区間において，選択された前記第１電極に印加される負の電圧の大きさと同一であることを特徴とする請求項１，２，３または４のいずれか１項に記載のプラズマディスプレイパネルの駆動方法。
【請求項６】
前記第１区間の後，前記アドレス電極と前記第１電極及び前記第２電極との間の電位差は放電開始電圧より小さいことを特徴とする請求項１，２，３，４または５のいずれか１項に記載のプラズマディスプレイパネルの駆動方法。
【請求項７】
アドレス区間において，前記第２電極に，前記第３電圧より高い第５電圧を印加することを特徴とする請求項１，２，３，４，５または６のいずれか１項に記載のプラズマディスプレイパネルの駆動方法。
【請求項８】
前記第１区間の一部区間は，前記第１電極の電圧が前記第２電圧となる時点を含むことを特徴とする請求項１，２，３，４，５，６または７のいずれか１項に記載のプラズマディスプレイパネルの駆動方法。
【請求項９】
一定の間隔を置いて対向する第１基板及び第２基板と，
前記第１基板に配列される複数のアドレス電極と，
前記第２基板に，前記アドレス電極と交差するように配列される複数の第１電極及び第２電極と，
リセット区間，アドレス区間及び維持区間に，前記第１電極，前記第２電極及び前記アドレス電極に駆動信号を送信する駆動回路と，
を含むプラズマディスプレイパネルにおいて：
リセット区間において，前記駆動回路は，第１区間に，第１電圧から第２電圧まで下降する電圧を前記第１電極に印加し，前記第１区間の一部区間に，前記第２電極の電圧を第３電圧から第４電圧まで下降させることを特徴とするプラズマディスプレイパネル。
【請求項１０】
前記第２電圧は，アドレス区間において，選択された前記第１電極に印加される負の電圧の大きさと同一であることを特徴とする請求項９に記載のプラズマディスプレイパネル。
【請求項１１】
前記第１区間の後，前記アドレス電極と前記第１電極及び前記第２電極間の電位差は，放電開始電圧より小さいことを特徴とする請求項９または１０のいずれか１項に記載のプラズマディスプレイパネル。
【請求項１２】
前記第１区間の一部区間は，前記第１電極の電圧が前記第２電圧となる時点を含むことを特徴とする請求項９，１０または１１のいずれか１項に記載のプラズマディスプレイパネル。
【発明の詳細な説明】
【技術分野】
【０００１】
本発明は，プラズマディスプレイパネル（ＰＤＰ，Ｐｌａｓｍａ  Ｄｉｓｐｌａｙ  Ｐａｎｅｌ）とその駆動方法に係り，より詳しくはリセット時間の短縮が可能なプラズマディスプレイパネルとその駆動方法に関するものである。
【背景技術】
【０００２】
近年，液晶表示装置（ＬＣＤ，  Ｌｉｑｕｉｄ  Ｃｒｙｓｔａｌ  Ｄｉｓｐｌａｙ），電界放出表示装置（ＦＥＤ，  Ｆｉｅｌｄ  Ｅｍｉｓｓｉｏｎ  Ｄｉｓｐｌａｙ），ＰＤＰなどの平面表示装置が活発に開発されている。これら平面表示装置のうち，ＰＤＰは，ほかの平面表示装置に比べ，輝度及び発光効率が高くて視野角が広いという利点がある。したがって，４０インチ以上の大型表示装置のなかで，ＰＤＰが従来のＣＲＴを代替すべき表示装置として脚光を浴びている。
【０００３】
ＰＤＰは，気体放電により生成されたプラズマを用いて文字又は映像を表示する平面表示装置であって，その大きさに応じて，数十個ないし数百万個以上のピクセルがマトリックス状に配列されている。かかるＰＤＰは，印加される駆動電圧波形の形態と放電セルの構造によって，直流型（ＤＣ型）と交流（ＡＣ型）に区分される。
【０００４】
直流型ＰＤＰは，電極が放電空間にそのまま露出しているため，電圧が印加されているうちに電流が放電空間に流れる。よって，電流制限のための抵抗を設けなければならない欠点がある。反面，交流型ＰＤＰは，電極を誘電体層が覆っているため，自然なキャパシタンス成分の形成により電流が制限され，放電時，イオンの衝撃から電極が保護されるので，直流型に比べて寿命が長いという利点がある。
【０００５】
図１はＡＣ型プラズマディスプレイパネルの部分斜視図である。
【０００６】
同図に示すように，第１ガラス基板１（第２基板）上には，誘電体層２及び保護膜３で覆われた走査電極４（第１電極）と維持電極５（第２電極）が対をなして平行に設けられる。第２ガラス基板６（第１基板）上には，絶縁体層７で覆われた複数のアドレス電極８が設けられる。アドレス電極８間の絶縁体層７上には，アドレス電極８と平行に隔壁９が設けられる。また，絶縁体層７の表面及び隔壁９及び隔壁９の両側面には蛍光体１０が形成されている。第１ガラス基板１と第２ガラス基板６は，走査電極４とアドレス電極８，かつ維持電極５とアドレス電極８が直交するよう，放電空間１１を介在して対向配置されている。アドレス電極８と，対をなす走査電極４及び維持電極５との交差部にある放電空間１１が放電セル１２を形成する。
【０００７】
図２は，プラズマディスプレイパネルの電極配列を示す図である。
【０００８】
同図に示すように，ＰＤＰの電極はｍ×ｎのマトリックス構成を有し，具体的には，列方向にはアドレス電極（Ａ１〜Ａｍ）が配列され，行方向にはｎ行の走査電極（Ｙ１〜Ｙｎ）及び維持電極（Ｘ１〜Ｘｎ）が交互に配列されている。以下では，走査電極を“Ｙ電極”，維持電極を“Ｘ電極”という。図２に示す放電セル１２は図１に示す放電セル１２と対応する。
【０００９】
図３は，従来技術によるプラズマディスプレイパネルの駆動波形図である。
【００１０】
同図に示すように，従来のＰＤＰの駆動方法によると，各サブフィールドは，リセット区間，アドレス区間，及び維持区間からなる。
【００１１】
リセット区間は，消去区間，Ｙランプ上昇区間，及びＹランプ下降区間を含み，以前の維持放電の壁電荷状態を消去し，つぎのアドレス放電を安定的に行うため，壁電荷をセットアップする役割を果たす。
【００１２】
アドレス区間は，パネルのなかで，点灯させるセルと点灯させないセルを選択し，点灯させるセル（アドレスされたセル）に壁電荷を積んでおく動作を行う区間である。維持区間はアドレスされたセルに実際に画像を表示するための放電を行う区間である。
【００１３】
この際，壁電荷とは，各電極に近くに放電セルの壁（例えば，誘電体層）に形成されて電極に蓄積される電荷を言う。かかる壁電荷は実際に電極自体に接触しないが，ここにおいては，壁電荷が電極に“形成される”，“蓄積される”又は“積もる”のように表現する。また，壁電圧とは，壁電荷により放電セルの壁に形成される電位差を言う。
【００１４】
一方，最近には，ＰＤＰ効率を向上させるための方法として，放電ガスのなかでキセノン（Ｘｅ）の割合を１０％以上に高めて使用しているが，Ｘｅの割合が高くなるほど放電開始電圧も高くなる。したがって，図３の駆動波形図において，Ｙランプ下降区間でＹ電極の電圧を負の電圧（Ｖｎｆ）まで低め，アドレス区間でＹ電極に印加される走査パルスも負の電圧（Ｖｎｆ）まで低めた。
【００１５】
ところで，アドレス区間における放電は，Ｙ電極及びＸ電極にデータパルスが印加された時点を基準に，アドレス放電遅延時間後に放電が発生する。アドレス放電遅延時間が１操作ラインに割り当てられるアドレス時間より大きい場合，アドレス放電が失敗してしまい，維持放電区間で放電すべきセルが正確にアドレスされない。
【００１６】
このような問題点を解決するためには，アドレス電極とＹ電極間の電圧差が大きくなければならない。ところで，アドレス電極に高電圧を印加するのは，アドレス駆動回路の特性上，難しい。したがって，アドレス区間でＹ電極に印加される走査パルスとして，下降ランプ以後のＹ電極の電圧（Ｖｎｆ）より低い負の電圧（Ｖｓｃｌ）を印加することにより，アドレス放電遅延時間を短縮した。このような駆動波形を図４に示した。
【発明の開示】
【発明が解決しようとする課題】
【００１７】
しかし上記従来の方法では，Ｙ電極に低い負の電圧を印加すると，アドレスパルスが印加されないセルにおいても，アドレス電極とＹ電極間に放電が起こり，これにより，アドレスされていないセルのＸ電極とＹ電極間でも放電が起こるので，アドレス放電を起こしたような効果が発生し，維持放電区間で誤放電を起こすという問題があった。
【００１８】
そこで，本発明は，このような問題に鑑みてなされたもので，その目的とするところは，誤放電を防止しながらも高速アドレシングが実現できる新規かつ改良されたプラズマディスプレイパネルとその駆動方法を提供することにある。
【課題を解決するための手段】
【００１９】
上記課題を解決するために，本発明のある観点によれば，第１電極及び第２電極と，上記第１電極と及び上記第２電極との間に形成されるパネルキャパシタとを含むプラズマディスプレイパネルの駆動方法であって，リセット区間において，ａ）第１区間に，上記第１電極に，第１電圧から第２電圧まで下降する電圧（電圧波形）を印加する段階と，ｂ）上記第１区間の一部区間に，上記第２電極の電圧を第３電圧から第４電圧まで下降させる段階とを含むプラズマディスプレイパネルの駆動方法が提供される。
【００２０】
またこの際，上記ｂ）段階は，上記第２電極の電圧をフロートさせることで，上記第２電極の電圧が上記第３電圧から上記第４電圧まで下降してもよく，あるいは上記第２電極に，上記第３電圧から上記第４電圧まで下降する電圧（電圧波形）を印加してもよい。
【００２１】
また，上記第２電極に印加される，上記第３電圧から上記第４電圧まで下降する電圧波形の傾きの絶対値は，上記第１電極に印加される，上記第１電圧から上記第２電圧まで下降する電圧波形の傾きの絶対値より大きいか又は略同一でもよい。
【００２２】
また，上記第２電圧は，アドレス区間において，選択された上記第１電極に印加される負の電圧の大きさと同一であり，上記第１区間の後，上記アドレス電極と上記第１電極及び上記第２電極間の電位差は放電開始電圧より小さくてもよい。
【００２３】
また，アドレス区間において，上記第２電極に，上記第３電圧より高い第５電圧を印加してもよい。
【００２４】
また，上記第１区間の一部区間は，上記第１電極の電圧が上記第２電圧となる時点を含んでもよい。
【００２５】
上記課題を解決するために，本発明の別の観点によれば，一定の間隔を置いて対向する第１基板及び第２基板と，上記第１基板に配列される複数のアドレス電極と，上記第２基板に，上記アドレス電極と交差するように配列される複数の第１電極及び第２電極と，リセット区間，アドレス区間及び維持区間に，上記第１電極，第２電極及びアドレス電極に駆動信号を送信する駆動回路とを備えるプラズマディスプレイパネルであって，リセット区間において，上記駆動回路は，第１区間に，上記第１電極に，第１電圧から第２電圧まで下降する電圧（電圧波形）を印加し，上記第１区間の一部区間に，上記第２電極の電圧を第３電圧から第４電圧まで下降させるプラズマディスプレイパネルが提供される。
【００２６】
また，上記第２電圧は，アドレス区間において，選択された上記第１電極に印加される負の電圧の大きさと同一であってもよい。
【００２７】
また，上記第１区間の後，上記アドレス電極と上記第１及び第２電極間の電位差は放電開始電圧より小さいことを特徴とする請求項９または１０のいずれか１項に記載のプラズマディスプレイパネル。
【００２８】
また，上記第１区間の一部区間は，上記第１電極の電圧が上記第２電圧となる時点を含んでもよい。
【発明の効果】
【００２９】
本発明によれば，リセット区間において，Ｘ電極とＹ電極に，誤放電が起こらない範囲内で最大壁電圧が形成されるので，高速アドレシングが可能であり，放電効率が向上されるプラズマディスプレイパネルとその駆動方法を提供できるものである。
【発明を実施するための最良の形態】
【００３０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３１】
まず，本発明の第１実施形態によるプラズマディスプレイパネルの駆動方法について，図５に基づいて詳細に説明する。
【００３２】
図５は本発明の第１実施形態による駆動波形を示す図である。
【００３３】
同図に示すように，本発明の第１実施形態によると，Ｙランプ下降区間において，Ｙ電極（第１電極）に正の電圧（Ｖｓ）から負の電圧（Ｖｓｃｌ）まで下降するランプパルスを印加する。本実施形態にかかる第１電圧はＶｓのことであり，第２電圧はＶｓｃｌのことである。また第１区間とは，第１電圧から第２電圧まで下降する電圧を印加する段階のことである。また，Ｙ電極の電圧が負の電圧（Ｖｎｆ）からさらに低い負の電圧（Ｖｓｃｌ）まで下降する間，Ｘ電極（第２電極）には，Ｙ電極に印加される下降ランプパルスの傾きの絶対値より大きいか又は略同一（同等）な傾きの絶対値を有する下降ランプを印加する。つまりＸ電極は，ＶｅからＶｅ−（Ｖｎｆ−Ｖｓｃｌ）以下の電圧まで下降する。また本実施形態にかかる第３電圧はＶｅのことであり，第４電圧はＶｅ−（Ｖｎｆ−Ｖｓｃｌ）以下の電圧のことである。また，本実施形態にかかる第１基板とは図１に示す第２ガラス基板のことであり，第２基板は第１ガラス基板のことである。
【００３４】
この状態で，はじめに，Ｙ電極に下降ランプパルスが印加されると，弱放電が起こり，Ｙランプ上昇区間でＹ電極に積もった（−）電荷が徐々に消去され，Ｘ電極の（＋）電荷も徐々に消去される。
【００３５】
その後，Ｙ下降ランプパルスによりＹ電極の電圧が次第に低下するとともに，Ｘ電極にも，Ｙ電極に印加される下降ランプパルスの傾きの絶対値より大きいか又は略同一（同等）な絶対値の傾きを有する下降ランプパルスが印加されるため，Ｙ電極の電圧が低下しつづけても，Ｘ電極とＹ電極間の電圧差は同一状態に維持されるか減少して，Ｘ電極とＹ電極間の弱放電が抑制される。つまり，Ｘ電極の電圧が，Ｙ電極の電圧より高い状態から減少を開始するので，Ｘ電極の下降電圧波形の傾きが大きいほどＸ電極とＹ電極間の電圧差が減少することになる。
【００３６】
また，Ｙ電極とＸ電極の電位は低下し続けるので，アドレス電極とＸ，Ｙ電極間の電位差は次第に増加し，リセット区間が終了した時点で，この電位差はアドレス電極とＹ電極間の放電開始電圧よりやや低い電圧となる。
【００３７】
したがって，この状態でアドレス動作を開始しても，アドレス電極とＸ，Ｙ電極間の電位差はアドレス電極とＹ電極間の放電開始電圧より低いので，アドレシングされていないセルでは，アドレス電極とＹ電極間で誤放電を防止でき，Ｘ電極とＹ電極間でも誤放電を防止できる。
【００３８】
また，リセット区間において，Ｘ電極とＹ電極に積もった壁電荷による壁電圧は，誤放電を起こさない範囲内で最大化しているため，アドレス区間で高速アドレス放電が起こる。
【００３９】
次に，本発明の第２実施形態によるプラズマディスプレイパネルの駆動方法について図６に基づいて説明する。
【００４０】
図６は本発明の第２実施形態による駆動波形を示す図である。
【００４１】
本発明の第１実施形態においては，アドレス区間でＸ電極に印加される電圧を消去区間でＸ電極に印加される電圧（Ｖｅ）と同一に設定したが，これとは異なり，第２実施形態においては，電圧（Ｖｅ）より高い電圧（Ｖｅ′）を印加することにより，アドレス区間で起こる誤放電をより確実に防止することができる。また，本実施形態にかかる第５電圧とはＶｅ′のことである。
【００４２】
本発明の第１及び第２実施形態においては，Ｙ電極の電圧が負の電圧（Ｖｎｆ）から負の電圧（Ｖｓｃｌ）まで低下する間，Ｘ電極には，Ｙ電極に印加される下降ランプパルスと同一傾きの下降ランプを印加したが，Ｙ電極の電圧が負の電圧（Ｖｎｆ）からさらに低い負の電圧（Ｖｓｃｌ）まで低下する間にも，Ｘ電極の電圧を続けて電圧（Ｖｅ）に保持した後，Ｘ電極をフロートさせることができる。
【００４３】
Ｙランプ下降区間において，Ｙ電極電圧が負の電圧（Ｖｎｆ）まで下降した時点で，Ｙ電極には（−）電荷が積もり，Ｘ電極には（＋）電荷が積もっている状態であるので，Ｘ電極とＹ電極はまるでキャパシタのように動作する。キャパシタは一定の電圧を維持しようとする特性がある。したがって，以後に，Ｙ電極の電圧が負の電圧（Ｖｎｆ）から負の電圧（Ｖｓｃｌ）まで低下するうち，Ｘ電極を電圧（Ｖｅ）に保持した後，フロートさせても，Ｘ電極はＹ電極との電圧差を継続して維持しようとする。これにより，Ｘ電極の電圧は，まるで下降ランプを印加したがごとく，Ｙ電圧の低下にしたがい低下し続ける。このように本発明の効果を得るためにＸ電極の電圧を下降させる方法としては，Ｘ電極に下降ランプ波形の電圧を印加する方法と，Ｘ電極をフロートさせる方法がある。
【００４４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００４５】
本発明は，プラズマディスプレイパネルとその駆動方法に適用可能であり，特に交流型プラズマディスプレイパネルとその駆動方法に適用可能である。
【図面の簡単な説明】
【００４６】
【図１】交流型プラズマディスプレイパネルの部分斜視図である。
【図２】プラズマディスプレイパネルの電極配列を示す図である。
【図３】従来のプラズマディスプレイパネルの駆動波形図である。
【図４】従来のプラズマディスプレイパネルの駆動波形図である。
【図５】本発明の第１実施形態による駆動波形図である。
【図６】本発明の第２実施形態によるプラズマディスプレイパネルの駆動波形図である。
【符号の説明】
【００４７】
１    第１ガラス基板
２    誘電体層
３    保護膜
４    走査電極
５    維持電極
６    第２ガラス基板
７    絶縁体層
８    アドレス電極
９    隔壁
１０    蛍光体
１１    放電空間
１２    放電セル
Ａ１〜Ａｎ    アドレス電極
Ｘ１〜Ｘｎ    維持電極
Ｙ１〜Ｙｎ    走査電極
【図１】
2005122102.tif 000003
【図２】
2005122102.tif 000004
【図３】
2005122102.tif 000005
【図４】
2005122102.tif 000006
【図５】
2005122102.tif 000007
【図６】
2005122102.tif 000008